(57)【要約】【課題】介護者が被介護者を安全に、且つ簡単にベッドから他の場所へ、または他の場所からベッドへ移す介護用抱きかかえ補助具を提供する。【解決手段】強靭な生地により、被介護者Ｐの腰部から臀部にかけて被着する巾広上方生地部１と、該巾広上方生地部１の下方に股部から上方に引き上げて被着する細巾下方生地部２とを連設して基布３を形成し、且つ前記基布３の上端外側縁部に、持ち上げ帯４を間隔を有して複数個所を一体に縫着固定６して、前記持ち上げ帯４に複数個のゆるみ部５が形成され、更に、前記基布３の細巾下方生地部２の中央に、持ち上げ帯４を挿通する挿通部７を備えた帯通し８を縫着固定９して形成する。【選択図】図５
2015107284.tif 000002
【特許請求の範囲】
【請求項１】
強靭な生地により、被介護者の腰部から臀部にかけて被着する巾広上方生地部と、該巾広上方生地部の下方に股部から上方に引き上げて被着する細巾下方生地部とを連設して基布を形成し、且つ前記基布の上端外側縁部に、複数個のゆるみ部を設けて持ち上げ帯を一体に固着し、更に、前記基布の細巾下方生地部の中央に、持ち上げ帯を挿通する挿通部を備えた帯通しを固着して形成したことを特徴とする介護用抱きかかえ補助具。
【発明の詳細な説明】
【技術分野】
【０００１】
本発明は、被介護者を介護者がベッドから車椅子や椅子等の他の場所へ、または、逆に車椅子や椅子等の他の場所からベッドへ移す場合に使用する介護用抱きかかえ補助具に関するものである。
【背景技術】
【０００２】
従来、一般に介護者が被介護者をベッドから車椅子や椅子等の他の場所へ、または、逆に車椅子や椅子等の他の場所からベッドへ移す場合は、抱きかかえ用の補助具を使用することなく、単に手を用いて抱きかかえて移している。
【０００３】
そして、介護者が被介護者を補助具を用いて抱きかかえて、ベッドから他の場所へ、または、逆に他の場所からベッドへ移すことができる介護用抱きかかえ補助具につき、過去の特許文献を遡及検索したところ、下記の特許文献に示す「介護用トランスファ」が公知である。
【先行技術文献】
【特許文献】
【０００４】
【特許文献１】特許第４０４８３９８号公報
【発明の概要】
【発明が解決しようとする課題】
【０００５】
前記のように、従来は、介護者が被介護者をベッドから車椅子等の他の場所へ移す場合、または、逆に車椅子等の他の場所からベッドへ移す場合、抱きかかえ用の補助具を用いることなく、単に手を用いて抱きかかえて移していたので、労力を要し、且つ落とさないよう神経を使い非常に疲れてしまい、特に老老介護では重労働で極めて過酷な作業であるという課題があった。
【０００６】
また、特許文献１記載のトランスファは、左側の係合部６ｂを、被介護者１３の股を通して、右側の係止部５ａに挿入すると共に、同様にして右側の係合部６ａを左側の係止部５ｂに挿入する。そして、前記係合部６ａ、６ｂの先端の取手７ａを重ね合わせる。次いで、被介護者１３の上半身をベッドに起こし、介護者の左手で背面把持体４の取手４ａを保持し、右手で一対の取手７ａ・７ｂを同時に把持して、被介護者１３の尻部を吊り上げて移動するよう形成されているため、介護者が被介護者に前記トランスファを装着する場合、非常に手間がかかると共に、前記トランスファでは被介護者の尻部を吊り上げるという構成であるため、被介護者の腰部が安定せず、移動時に動いてしまい、介護者が非常に重く感じるという課題があった。
【０００７】
本発明は、前記課題を解決すべくなされたものであって、被介護者への抱きかかえ補助具の装着作業が簡単で、被介護者の腰部の部分を中心にして抱きかかえて移動できるように構成することにより、抱きかかえ時に被介護者が安定して動くことがなく、且つ介護者による抱きかかえ操作も簡単、且つ容易にできる介護用抱きかかえ補助具を提供しようとするものである。
【課題を解決するための手段】
【０００８】
本発明は、強靭な生地により、被介護者の腰部から臀部にかけて被着する巾広上方生地部と、該巾広上方生地部の下方に股部から上方に引き上げて被着する細巾下方生地部とを連設して基布を形成し、且つ前記基布の上端外側縁部に、複数個のゆるみ部を設けて持ち上げ帯を一体に固着し、更に、前記基布の細巾下方生地部の中央に、持ち上げ帯を挿通する挿通部を備えた帯通しを固着するという手段を採用することにより、上記課題を解決した。
【発明の効果】
【０００９】
上記構成より成る本発明によれば、被介護者への装着作業が簡単で、被介護者の腰部の部分を中心にして抱きかかえて移動できるように構成してあるので、抱きかかえ時に被介護者が安定して動くことがなく、且つ介護者による抱きかかえ操作も簡単、且つ容易にでき、然も被介護者を安定して抱え上げることができるので、老々介護でも余り重さを感じることがないという優れた効果を奏することができる。
【図面の簡単な説明】
【００１０】
【図１】本発明介護用抱きかかえ補助具の表側を示す展開正面図である。
【図２】本発明介護用抱きかかえ補助具を患者に装着しようとする状態を示す斜視図である。
【図３】本発明介護用抱きかかえ補助具を患者に装着した状態を、患者を省略して示す斜視図である。
【図４】本発明介護用抱きかかえ補助具を患者に装着した状態を正面側から見た斜視図である。
【図５】本発明介護用抱きかかえ補助具を患者に装着した後、介護者が患者を抱きかかえている状態を示す斜視図である。
【実施例】
【００１１】
本発明の実施例を図面に基づいて詳細に説明する。本発明介護用抱きかかえ補助具は、例えば、帆布やデニムのような強靭な生地により、被介護者Ｐの腰部から臀部にかけて被着する巾広上方生地部１と、該巾広上方生地部１の下方に股部から上方に引き上げて被着する細巾下方生地部２とを連設して縦長の基布３を形成し、且つ被介護者Ｐを持ち上げる持ち上げ帯４に、手を入れて持ち上げるための複数個のゆるみ部５が、前記基布３の上端外側縁部に、前記持ち上げ帯４を間隔を有して複数個所を一体に縫着固定６して形成されている。
【００１２】
また、前記基布３の細巾下方生地部２の中央に、持ち上げ帯４を挿通する挿通部７を備えた帯通し８を一体に縫着固定９して形成されている。前記帯通し８は、特に限定する必要はないが、好ましくは図１に示すような構成とすることが推奨される。すなわち、図１に示すように、帯通し８は短い帯状生地１０を半円状に湾曲して中央に挿通部７を設け、且つ該帯状生地１０の両端縁部を前記基布３の細巾下方生地部２の中央に縫着固定９して形成されている。
【００１３】
そして、前記構成より成る本発明抱きかかえ補助具の作用について説明する。先ず、本発明抱きかかえ補助具を、図２に示すように裏返して、ベッドに仰臥している被介護者Ｐの横に敷き、その後被介護者Ｐを前記裏返しの抱きかかえ補助具上へ移動させて、被介護者Ｐの背面側腰部に基布３の布広上方生地部１を当て、更に、細巾下方生地部２を股部から通して上方へ引き上げて腹部上に位置させる。
【００１４】
その後、前記持ち上げ帯４の両端を背面の腰部側から表面の腹部側へ巻回して、前記広巾上方生地部１を腰部と臀部に密着させると共に、前記持ち上げ帯４の一方側端部を前記細巾下方生地部２の帯通し８の挿通部７に挿通し、且つ該挿通部７に挿通した持ち上げ帯４の一方側端部を上方へ引き上げ、これを該持ち上げ帯４の他方側に緊縛する等により固定し、本発明介護用抱きかかえ補助具を被介護者Ｐに装着固定する。
【００１５】
前記本発明介護用抱きかかえ補助具を被介護者Ｐに装着固定した後、介護者Ｍは被介護者Ｐと向かい合うようにして、前記複数個のゆるみ部５のいずれか２つのゆるみ部５に手を差入れて、持ち上げ帯４を両手でしっかり握り持ち上げることにより、介護者Ｍは被介護者Ｐを極めて簡単、且つ容易に、そして安全に重さを余り感じることもなく抱きかかえて移動させることができる。
【００１６】
本発明抱きかかえ補助具は、特に被介護者Ｐの腰部を持ち上げ帯４で巻回する構成であるため、該持ち上げ帯４を持ち上げることにより、被介護者Ｐの腰部を保持することができるので、抱きかかえ時に被介護者が動くことなく安定し、介護者が安全に且つ余り力を要することなく移動させることができる。
【００１７】
また、持ち上げ帯４には、予め手で持ち上げるためのゆるみ部５を備えているため、介護者Ｍが手を無理に持ち上げ帯に食い込ませることなく、簡単に持ち上げることができる。
【符号の説明】
【００１８】
Ｐ  被介護者、  Ｍ  介護者、  １  巾広上方生地部、  ２  細巾下方生地部、
３  基布、  ４  持ち上げ帯、  ５  ゆるみ部、  ６  縫着固定、  ７  挿通部、  ８  帯通し、  ９  縫着固定、  １０  帯状生地。
【図１】
2015107284.tif 000003
【図２】
2015107284.tif 000004
【図３】
2015107284.tif 000005
【図４】
2015107284.tif 000006
【図５】
2015107284.tif 000007